(57)【特許請求の範囲】
【請求項１】
用紙に画像を形成する画像形成部と、
前記画像形成部で画像形成された用紙に後処理を施す後処理部と、
前記用紙を画像形成と後処理のタイミングに合わせて搬送する搬送部と、
前記用紙の搬送についての異常を検知する異常検知部と、
前記用紙が排出される排出部と、
を有する画像形成システムに接続されて、当該画像形成システムにおける前記用紙の画像形成と搬送とを制御する画像形成制御装置であって、
前記異常検知部により異常が検知された前記用紙をジャム起因用紙、該ジャム起因用紙よりも上流で残留している前記用紙を残留用紙、前記用紙のうちで予め指定されたものを指定用紙、前記用紙のうちで前記指定用紙以外のものを通常用紙とした場合に、
前記搬送部により搬送中の前記用紙について前記異常検知部により異常が検知された状況において、前記残留用紙を前記排出部で排出すべく前記搬送部により搬送するプレパージ処理を実行するよう前記搬送部と前記排出部とを制御する際に、前記残留用紙が前記指定用紙である場合には、前記プレパージ処理を適用しないように制御する、
ことを特徴とする画像形成制御装置。
【請求項２】
プレパージ処理を実行するよう前記搬送部と前記排出部とを制御する際に、プレパージ処理を適用しないよう制御された前記指定用紙が存在する場合であっても、プレパージ処理を実行して前記排出部に排出可能な前記通常用紙についてはプレパージ処理を適用するよう制御する、
ことを特徴とする請求項１に記載の画像形成制御装置。
【請求項３】
プレパージ処理を実行するよう前記搬送部と前記排出部とを制御する際に、プレパージ処理を適用しないよう制御された前記指定用紙の影響を受けてプレパージ処理を適用できない前記通常用紙については、プレパージ処理を適用しないよう制御する、
ことを特徴とする請求項１乃至請求項２のいずれか一項に記載の画像形成制御装置。
【請求項４】
プレパージ処理を実行するよう前記搬送部と前記排出部とを制御する際に、前記指定用紙が前記画像形成部による画像形成前であれば、当該指定用紙についてはプレパージ処理を適用するよう制御する、
ことを特徴とする請求項１乃至請求項３のいずれか一項に記載の画像形成制御装置。
【請求項５】
前記画像形成部と前記後処理部のそれぞれにおいて、搬送停止状態の前記用紙を取り出す扉と、前記扉が開かないようロックするロック部とが備えられ、
前記プレパージ処理を実行した際に当該プレパージ処理が適用されずに残留している前記用紙が前記画像形成部と前記後処理部との複数部位にわたって存在している場合に、前記複数部位の対応する複数の扉について、いずれか一つの扉以外の扉について前記ロック部によりロックするよう制御する、
ことを特徴とする請求項１乃至請求項４のいずれか一項に記載の画像形成制御装置。
【請求項６】
前記複数部位の対応する複数の扉について、前記ロック部によりロックされない扉に対応する部位で残留している前記用紙が除去された場合には、残余の残留している前記用紙が存在している部位に対応するいずれか一つの扉について前記ロック部のロックを解除するよう制御する、
ことを特徴とする請求項５に記載の画像形成制御装置。
【請求項７】
Ｍを１以上の整数、ＮをＭより大きい整数として、
前記排出部は、前記指定用紙を収容するＭ個の用紙収容部を備えて構成され、
前記プレパージ処理を実行した際に当該プレパージ処理が適用されずに残留している前記用紙が、Ｎユーザによるものである場合、Ｎユーザ中のＭユーザについての残留している前記用紙を、それぞれＭ個の前記用紙収容部に収容させるよう制御する、
ことを特徴とする請求項１乃至請求項６のいずれか一項に記載の画像形成制御装置。
【請求項８】
前記指定用紙は、機密情報が画像形成される用紙、又は、ユーザが他のユーザの目に触れることを望まない用紙のいずれかである、
ことを特徴とする請求項１乃至請求項７のいずれか一項に記載の画像形成制御装置。
【請求項９】
画像形成された用紙に後処理を施す後処理部と、
前記用紙を後処理のタイミングに合わせて搬送する搬送部と、
前記用紙の搬送についての前記後処理部内での異常を検知する異常検知部と、
前記用紙が排出される排出部と、
接続されることが可能に構成された画像形成装置であって、
請求項１乃至請求項７のいずれか一項に記載の画像形成制御装置と、
用紙に画像を形成する画像形成部と、
前記用紙を画像形成のタイミングに合わせて搬送する搬送部と、
前記用紙の搬送について前記画像形成部内での異常を検知する異常検知部と、
とを有することを特徴とする画像形成装置。
【請求項１０】
用紙に画像を形成する画像形成部と、
前記画像形成部で画像形成された用紙に後処理を施す後処理部と、
前記用紙を画像形成と後処理のタイミングに合わせて搬送する搬送部と、
前記用紙の搬送についての異常を検知する異常検知部と、
前記用紙が排出される排出部と、
請求項１乃至請求項７のいずれか一項に記載の画像形成制御装置と、
を有することを特徴とする画像形成システム。
【請求項１１】
用紙に画像を形成する画像形成部と、
前記画像形成部で画像形成された用紙に後処理を施す後処理部と、
前記用紙を画像形成と後処理のタイミングに合わせて搬送する搬送部と、
前記用紙の搬送についての異常を検知する異常検知部と、
前記用紙が排出される排出部と、
を有する画像形成システム、又は、前記画像形成システムに含まれる画像形成装置を制御する画像形成制御方法であって、
前記異常検知部により異常が検知された前記用紙をジャム起因用紙、該ジャム起因用紙よりも上流で残留している前記用紙を残留用紙、前記用紙のうちで予め指定されたものを指定用紙、前記用紙のうちで前記指定用紙以外のものを通常用紙とした場合に、
前記搬送部により搬送中の前記用紙について前記異常検知部により異常が検知された状況において、前記残留用紙を前記排出部で排出すべく前記搬送部により搬送するプレパージ処理を実行するよう前記搬送部と前記排出部とを制御する際に、前記残留用紙が前記指定用紙である場合には、前記プレパージ処理を適用しないように制御する、
ことを特徴とする画像形成制御方法。
【請求項１２】
プレパージ処理を実行するよう前記搬送部と前記排出部とを制御する際に、プレパージ処理を適用しないよう制御された前記指定用紙が存在する場合であっても、プレパージ処理を適用して前記排出部に排出可能な前記通常用紙についてはプレパージ処理を適用するよう制御する、
ことを特徴とする請求項１１に記載の画像形成制御方法。
【請求項１３】
プレパージ処理を実行するよう前記搬送部と前記排出部とを制御する際に、プレパージ処理を適用しないよう制御された前記指定用紙の影響を受けてプレパージ処理を適用できない前記通常用紙については、プレパージ処理を適用しないよう制御する、
ことを特徴とする請求項１１乃至請求項１２のいずれか一項に記載の画像形成制御方法。
【請求項１４】
プレパージ処理を実行するよう前記搬送部と前記排出部とを制御する際に、前記指定用紙が前記画像形成部による画像形成前であれば、当該指定用紙についてはプレパージ処理を適用するよう制御する、
ことを特徴とする請求項１１乃至請求項１３のいずれか一項に記載の画像形成制御方法。
【請求項１５】
前記画像形成部と前記後処理部のそれぞれにおいて、搬送停止状態の前記用紙を取り出す扉と、前記扉が開かないようロックするロック部とが備えられ、
前記プレパージ処理を実行した際に当該プレパージ処理が適用されずに残留している前記用紙が前記画像形成部と前記後処理部との複数部位にわたって存在している場合に、前記複数部位の対応する複数の扉について、いずれか一つの扉以外の扉について前記ロック部によりロックするよう制御する、
ことを特徴とする請求項１１乃至請求項１４のいずれか一項に記載の画像形成制御方法。
【請求項１６】
前記複数部位の対応する複数の扉について、前記ロック部によりロックされない扉に対応する部位で残留している前記用紙が除去された場合には、残余の残留している前記用紙が存在している部位に対応するいずれか一つの扉について前記ロック部のロックを解除するよう制御する、
ことを特徴とする請求項１５に記載の画像形成制御方法。
【請求項１７】
Ｍを１以上の整数、ＮをＭより大きい整数として、
前記排出部は、前記指定用紙を収容するＭ個の用紙収容部を備えて構成され、
前記プレパージ処理を実行した際に当該プレパージ処理が適用されずに残留している前記用紙が、Ｎユーザによるものである場合、Ｎユーザ中のＭユーザについての残留している前記用紙を、それぞれＭ個の前記用紙収容部に収容させるよう制御する、
ことを特徴とする請求項１１乃至請求項１６のいずれか一項に記載の画像形成制御方法。
【請求項１８】
前記指定用紙は、機密情報が画像形成される用紙、又は、ユーザが他のユーザの目に触れることを望まない用紙のいずれかである、
ことを特徴とする請求項１１乃至請求項１７のいずれか一項に記載の画像形成制御方法。
【発明の詳細な説明】
【技術分野】
【０００１】
本発明は、画像形成制御装置、画像形成装置、画像形成システム及び画像形成制御方法において、紙詰まり（ジャム）等によって装置内に残留している残留用紙を安定して排出する技術に関する。
【背景技術】
【０００２】
プリンタや複写機等の画像形成装置には、多様な印刷条件に対応するために複数種類の用紙を収容する給紙トレイが各用紙別に複数設けられている。
また、多様な印刷がなされた用紙を個別に扱うため、画像形成された用紙に対して各種の処理を施す後処理装置が画像形成装置の後段に接続されて画像形成システムが構成されることがある。
【０００３】
そして、このように各種の後処理装置が接続された場合には、各後処理に合わせて複数の排紙トレイが設けられていることがある。
なお、画像形成システム内のいずれかの位置で紙詰まりが発生した場合には、画像形成システムの動作を停止させた後に、パージ処理として、画像形成システム内に残留している残留用紙を１箇所の排紙トレイに集めて排出する技術が存在している。
【０００４】
なお、紙詰まり発生時の残留用紙の取り扱いについては、以下の特許文献１−３に記載がなされている。
【先行技術文献】
【特許文献】
【０００５】
【特許文献１】特開２００８−０５２１２５号公報
【特許文献２】特開２００６−３４３７２７号公報
【特許文献３】特開２００８−１４３０８９号公報
【発明の概要】
【発明が解決しようとする課題】
【０００６】
以上の特許文献１では、ジャムが発生した際に、ジャム起因用紙よりも上流に位置していて、いずれかの排出先に搬送して排出可能な用紙については搬送を継続してプレパージとして排出し、排出可能でない用紙についてはジャム起因用紙（ジャムを発生した用紙）を除去した後にパージ処理を行う、ことが提案されている。
【０００７】
以上の特許文献２では、ジャムが発生した際に、装置全体として全ての用紙の搬送を停止させるのではなく、ジャム起因用紙は搬送を停止させるものの、それ以外の残留している用紙については搬送を継続してプレパージ処理として排出する、ことが提案されている。
【０００８】
なお、画像形成システムで機密書類をプリントすることもあり、機密性を保つことが重要な場合が存在している。
そこで、以上の特許文献３では、機密書類等の非公開用紙を画像形成している際に紙詰まりが発生した場合には、紙詰まりにより停止した状態を保ち、かつ、用紙取り出しのための前扉のオープンを禁止することが提案されている。
【０００９】
従って、この特許文献３の技術はプレパージ処理やパージ処理に適用することができない。そして、非公開用紙と通常用紙とが画像形成システム内で混在している場合に、この特許文献３の技術により通常用紙についてもプレパージ処理が実行できなくなると、残留用紙の取り出しが非常に面倒になる問題がある。
【００１０】
なお、近年は、大量の画像形成を高速に実行するプロダクションプリント用の画像形成装置では、複数の給紙装置を連結して、搬送経路が長くなることがある。このため、非公開用紙に併せて通常用紙までも全てプレパージ処理を実行せずに画像形成システム内に残留させたままにしておくことは、残留用紙の取り出しに多くの時間が取られるという新たな問題が発生することになる。
【００１１】
しかしながら、以上の各特許文献記載の技術では、このような問題には何ら対策が講じられておらず、効率的に残留用紙を排出することができなかった。
本発明はこのような課題に鑑みてなされたものであって、紙詰まりなどのトラブルが生じたときに画像形成システム内に残留する残留用紙について効率的に排出することが可能な、画像形成制御装置、画像形成装置、画像形成システム及び画像形成制御方法を実現することを目的とする。
【課題を解決するための手段】
【００１２】
（１）上述の課題を解決する一態様は、用紙に画像を形成する画像形成部と、前記画像形成部で画像形成された用紙に後処理を施す後処理部と、前記用紙を画像形成と後処理のタイミングに合わせて搬送する搬送部と、前記用紙の搬送についての異常を検知する異常検知部と、前記用紙が排出される排出部と、を有する画像形成システムに接続される画像形成制御装置、この画像形成制御装置を有する画像形成装置、この画像形成制御装置を有する画像形成システム、これらの装置やシステムを制御する画像形成制御方法、であって、
前記異常検知部により異常が検知された前記用紙をジャム起因用紙、該ジャム起因用紙よりも上流で残留している前記用紙を残留用紙、前記用紙のうちで予め指定されたものを指定用紙、前記用紙のうちで前記指定用紙以外のものを通常用紙とした場合に、前記搬送部により搬送中の前記用紙について前記異常検知部により異常が検知された状況において、前記残留用紙を前記排出部で排出すべく前記搬送部により搬送するプレパージ処理を実行するよう前記搬送部と前記排出部とを制御する際に、前記残留用紙が前記指定用紙である場合には、前記プレパージ処理を適用しないように制御する。
【００１３】
（２）以上の（１）において、プレパージ処理を実行するよう前記搬送部と前記排出部とを制御する際に、プレパージ処理を適用しないよう制御された前記指定用紙が存在する場合であっても、プレパージ処理を実行して前記排出部に排出可能な前記通常用紙についてはプレパージ処理を適用するよう制御する。
【００１４】
（３）以上の（１）−（２）において、プレパージ処理を実行するよう前記搬送部と前記排出部とを制御する際に、プレパージ処理を適用しないよう制御された前記指定用紙の影響を受けてプレパージ処理を適用できない前記通常用紙については、プレパージ処理を適用しないよう制御する。
【００１５】
（４）以上の（１）−（３）において、プレパージ処理を実行するよう前記搬送部と前記排出部とを制御する際に、前記指定用紙が前記画像形成部による画像形成前であれば、当該指定用紙についてはプレパージ処理を適用するよう制御する。
（５）以上の（１）−（４）において、前記画像形成部と前記後処理部のそれぞれにおいて、搬送停止状態の前記用紙を取り出す扉と、前記扉が開かないようロックするロック部とが備えられ、前記プレパージ処理を実行した際に当該プレパージ処理が適用されずに残留している前記用紙が前記画像形成部と前記後処理部との複数部位にわたって存在している場合に、前記複数部位の対応する複数の扉について、いずれか一つの扉以外の扉について前記ロック部によりロックするよう制御する。
【００１６】
（６）以上の（５）において、前記複数部位の対応する複数の扉について、前記ロック部によりロックされない扉に対応する部位で残留している前記用紙が除去された場合には、残余の残留している前記用紙が存在している部位に対応するいずれか一つの扉について前記ロック部のロックを解除するよう制御する。
【００１７】
（７）以上の（１）−（６）において、Ｍを１以上の整数、ＮをＭより大きい整数として、前記排出部は、前記指定用紙を収容するＭ個の用紙収容部を備えて構成され、前記プレパージ処理を実行した際に当該プレパージ処理が適用されずに残留している前記用紙が、Ｎユーザによるものである場合、Ｎユーザ中のＭユーザについての残留している前記用紙を、それぞれＭ個の前記用紙収容部に収容させるよう制御する。
【００１８】
（８）以上の（１）−（７）において、前記指定用紙は、機密情報が画像形成される用紙、又は、ユーザが他のユーザの目に触れることを望まない用紙のいずれかである。
【発明の効果】
【００１９】
（１）上述の課題を解決する一態様では、搬送中の用紙について異常検知部により異常が検知された状況において、残留用紙を排出部で排出すべく搬送部により搬送するプレパージ処理を実行するよう搬送部と排出部とを制御する際に、残留用紙が指定用紙である場合にはプレパージ処理を適用しないように制御する
ことで、ジャム起因紙の上流側で残留状態になった指定用紙を排出せずに画像形成システム内に確実に留置しておくことが可能になる。この結果、指定用紙をユーザが確実に除去することができ、機密情報や非公開情報等の各種情報が公知状態になることを防止できる。また、指定用紙以外の通常用紙をユーザが画像形成システム内から除去する必要がなくなる。そして、指定用紙以外ではプレパージ処理によって排出することができ、効率的な排出が可能になる。
【００２０】
（２）以上の（１）において、プレパージ処理を実行するよう搬送部と排出部とを制御する際に、プレパージ処理を適用しないよう制御された指定用紙が存在する場合であって
も、プレパージ処理を実行して排出部に排出可能な通常用紙についてはプレパージ処理を適用するよう制御することで、指定用紙を画像形成システム内に留置することと、通常用紙を画像形成システム外に排出することの両立が可能になる。この結果、指定用紙をユーザが確実に除去することができ、機密情報や非公開情報等の各種情報が公知状態になることを防止できる。また、指定用紙以外の通常用紙はプレパージ処理により排出するために、ユーザが画像形成システム内から除去する必要がなくなる。
【００２１】
（３）以上の（１）−（２）において、プレパージ処理を実行するよう搬送部と排出部とを制御する際に、プレパージ処理を適用しないよう制御された指定用紙の影響を受けてプレパージ処理を適用できない通常用紙については、プレパージ処理を適用しないよう制御することで、指定用紙の留置と通常用紙の排出とについて、無理のない両立が可能になる。
【００２２】
（４）以上の（１）−（３）において、プレパージ処理を実行するよう搬送部と排出部とを制御する際に、指定用紙が画像形成部による画像形成前であれば、当該指定用紙についてはプレパージ処理を適用するよう制御することで、機密情報や非公開情報等の各種情報が公知状態になることを防止しつつ、公開することについて問題のない通常用紙や画像形成未実行の指定用紙についての確実な排出が可能になる。すなわち、効率的な排出が可能になる。
【００２３】
（５）以上の（１）−（４）において、プレパージ処理を実行した際に当該プレパージ処理が適用されずに残留している用紙が画像形成部と後処理部との複数部位にわたって存在している場合に、複数部位の対応する複数の扉について、いずれか一つの扉以外の扉についてロック部によりロックするよう制御することで、ユーザによる指定用紙の除去を確実に実行可能にしつつ、機密情報や非公開情報等の各種情報がユーザ以外に知られることを確実に防止できる。
【００２４】
（６）以上の（５）において、複数部位の対応する複数の扉について、ロック部によりロックされない扉に対応する部位で残留している用紙が除去された場合には、残余の残留している用紙が存在している部位に対応するいずれか一つの扉についてロック部のロックを解除するよう制御することで、複数箇所にわたる指定用紙のユーザによる除去を確実に実行可能にしつつ、機密情報や非公開情報等の各種情報がユーザ以外に知られることを確実に防止できる。
【００２５】
（７）以上の（１）−（６）において、Ｍを１以上の整数、ＮをＭより大きい整数として、排出部に指定用紙を収容するＭ個の用紙収容部が備えられた場合に、プレパージ処理を実行した際に当該プレパージ処理が適用されずに残留している用紙が、Ｎユーザによるものである場合、Ｎユーザ中のＭユーザについての残留している用紙を、それぞれＭ個の用紙収容部に収容させるよう制御することで、用紙収容部において複数ユーザの指定用紙が混在することはなく、機密情報や非公開情報等の各種情報がユーザ以外に知られることを確実に防止できる。
【００２６】
（８）以上の（１）−（７）において、指定用紙は、機密情報が画像形成される用紙、又は、ユーザが他のユーザの目に触れることを望まない用紙のいずれかとすることで、機密情報や非公開情報等の各種情報がユーザ以外に知られることを確実に防止できる。また、この指定用紙については、各種情報を参照した自動的な指定であっても良いし、操作部等からのユーザによる指定であっても良い。
【図面の簡単な説明】
【００２７】
【図１】本発明の実施形態の画像形成システムの構成を示すブロック図である。
【図２】本発明の実施形態の画像形成の動作を示すフローチャートである。
【図３】本発明の実施形態の画像形成の動作を示すフローチャートである。
【図４】本発明の実施形態の画像形成システムの構成と動作状態を示す動作状態説明図である。
【図５】本発明の実施形態の画像形成システムの構成と動作状態を示す動作状態説明図である。
【図６】本発明の実施形態の画像形成システムの構成と動作状態を示す動作状態説明図である。
【図７】本発明の実施形態の画像形成の動作を示すフローチャートである。
【図８】本発明の実施形態の画像形成システムの構成と動作状態を示す動作状態説明図である。
【図９】本発明の実施形態の画像形成システムの構成と動作状態を示す動作状態説明図である。
【図１０】本発明の実施形態の画像形成システムの構成と動作状態を示す動作状態説明図である。
【図１１】本発明の実施形態の画像形成システムの構成と動作状態を示す動作状態説明図である。
【図１２】本発明の実施形態の画像形成の動作を示すフローチャートである。
【図１３】本発明の実施形態の画像形成システムの構成と動作状態を示す動作状態説明図である。
【図１４】本発明の実施形態の画像形成の動作を示すフローチャートである。
【図１５】本発明の実施形態の画像形成システムの構成と動作状態を示す動作状態説明図である。
【図１６】本発明の実施形態の画像形成システムの構成と動作状態を示す動作状態説明図である。
【図１７】本発明の実施形態の画像形成の動作を示すフローチャートである。
【図１８】本発明の実施形態の画像形成システムの構成と動作状態を示す動作状態説明図である。
【図１９】本発明の実施形態の画像形成システムの構成と動作状態を示す動作状態説明図である。
【図２０】本発明の実施形態の画像形成システムの構成と動作状態を示す動作状態説明図である。
【図２１】本発明の実施形態の画像形成システムの構成と動作状態を示す動作状態説明図である。
【図２２】本発明の実施形態の画像形成の動作を示すフローチャートである。
【図２３】本発明の実施形態の画像形成システムの構成と動作状態を示す動作状態説明図である。
【図２４】本発明の実施形態の画像形成システムの構成と動作状態を示す動作状態説明図である。
【発明を実施するための形態】
【００２８】
以下、図面を参照して本発明を実施するための形態（以下、実施形態）を詳細に説明する。
〔全体構成〕
図１を参照して、本実施の形態に係る画像形成装置と、画像形成装置及び後処理装置を備える画像形成システムの構成について説明する。なお、図示していないが、本実施形態の特徴部分の制御を行う画像形成制御装置が、画像形成装置や画像形成システムの外部に存在していても良い。
【００２９】
図１では画像形成装置や画像形成システムの各部の構成要素を機能別に図示している。また、図４では画像形成装置や画像形成システムの各部の概略断面構成を、用紙の搬送状態に合わせて模式的に図示している。
図１、図４に示すように、この画像形成システムは、画像形成装置１００と、後処理装置２００と、後処理装置３００と、後処理装置４００と、後処理装置５００と、が用紙の搬送方向に沿って配置されている。なお、この画像形成システムにおける各装置の接続は一例であって、この接続状態に限定されるものではない。
【００３０】
画像形成装置１００は、制御部１０１と、通信部１０２と、操作表示部１０３と、記憶部１０４と、給紙部１０５と、搬送部１１０と、異常検知部１１５と、原稿読込部１２０と、画像データ記憶部１３０と、画像処理部１４０と、画像形成部１５０と、扉部１８０と、を備えて構成されている。
【００３１】
ここで、制御部１０１は、画像形成装置１００内の各部を制御すると共に、画像形成装置１００と後処理装置とを含む画像形成システム全体を制御する。通信部１０２は、接続されている他の装置と通信する。操作表示部１０３は、操作者による操作入力に応じた操作入力信号を制御部１０１に通知すると共に画像形成装置１００の状態表示とを行う。記憶部１０４は、制御プログラム及び各種設定データを記憶すると共に制御プログラムのワークエリアとして使用される。給紙部１０５は、収容されている用紙を給紙する。搬送部１１０は、給紙され画像形成される用紙を所定速度で搬送する。異常検知部１１５は、各部に配置されたセンサによりジャム検知を行う。原稿読込部１２０は、原稿をスキャンして画像データを生成する。画像データ記憶部１３０は、画像形成する際のイメージデータや各種データを記憶する。画像処理部１４０は、画像形成に必要な各種画像処理を実行する。画像形成部１５０は、画像形成命令と画像処理後のイメージデータとに基づいて印刷（以下、「画像形成」と言う）を実行する。扉部１８０は、画像形成装置１００内部に残留する用紙を除去する際に開かれる扉を備える開閉部であって、扉を開かないようにロック部が設けられている。
【００３２】
後処理装置２００は、画像形成装置１００の後段に接続されており、制御部２０１と、通信部２０２と、記憶部２０４と、搬送部２１０と、異常検知部２１５と、後処理部２５０と、扉部２８０と、を備えて構成される。
制御部２０１は、後処理装置２００内の各部を制御する。通信部２０２は、画像形成装置１００と通信する。記憶部２０４は、制御プログラム及び各種設定データを記憶すると共に制御プログラムのワークエリアとして使用される。搬送部２１０は、用紙を所定速度で搬送する。異常検知部２１５は、各所に配置されたセンサにより用紙詰まり（ジャム）を検知する。後処理部２５０は、搬送される用紙に各種後処理を施す。扉部２８０は、残留する用紙を除去する際に開かれる扉を備える開閉部であって、扉を開かないようにロック部が設けられている。
【００３３】
後処理装置３００は、後処理装置２００の後段に接続されており、制御部３０１と、通信部３０２と、記憶部３０４と、搬送部３１０と、異常検知部３１５と、後処理部３５０と、扉部３８０と、排出部３９０と、を備えて構成される。
制御部３０１は、後処理装置３００内の各部を制御する。通信部３０２は、画像形成装置１００等と通信する。記憶部３０４は、制御プログラム及び各種設定データを記憶すると共に制御プログラムのワークエリアとして使用される。搬送部３１０は、用紙を所定速度で搬送する。異常検知部３１５は、各所に配置されたセンサにより用紙詰まり（ジャム）を検知する。後処理部３５０は、搬送される用紙に各種後処理を施す。扉部３８０は、残留する用紙を除去する際に開かれる扉を備える開閉部であって、扉を開かないようにロック部が設けられている。排出部３９０は、用紙を装置外に排出する。
【００３４】
後処理装置４００は、後処理装置３００の後段に接続されており、制御部４０１と、通信部４０２と、記憶部４０４と、搬送部４１０と、異常検知部４１５と、後処理部４５０と、扉部４８０と、排出部４９０と、を備えて構成される。
制御部４０１は、後処理装置４００内の各部を制御する。通信部４０２は、画像形成装置１００等と通信する。記憶部４０４は、制御プログラム及び各種設定データを記憶すると共に制御プログラムのワークエリアとして使用される。搬送部４１０は、用紙を所定速度で搬送する。異常検知部４１５は、各所に配置されたセンサにより用紙詰まり（ジャム）を検知する。後処理部４５０は、搬送される用紙に各種後処理を施す。扉部４８０は、残留する用紙を除去する際に開かれる扉を備える開閉部であって、扉を開かないようにロック部が設けられている。排出部４９０は、用紙を装置外に排出する。
【００３５】
後処理装置５００は、後処理装置４００の後段に接続されており、制御部５０１と、通信部５０２と、記憶部５０４と、搬送部５１０と、異常検知部５１５と、後処理部５５０と、扉部５８０と、排出部５９０と、を備えて構成される。
制御部５０１は、後処理装置５００内の各部を制御する。通信部５０２は、画像形成装置１００等と通信する。記憶部５０４は、制御プログラム及び各種設定データを記憶すると共に制御プログラムのワークエリアとして使用される。搬送部５１０は、用紙を所定速度で搬送する。異常検知部５１５は、各所に配置されたセンサにより用紙詰まり（ジャム）を検知する。後処理部５５０は、搬送される用紙に各種後処理を施す。扉部５８０は、残留する用紙を除去する際に開かれる扉を備える開閉部であって、扉を開かないようにロック部が設けられている。排出部５９０は、用紙を装置外に排出する。
【００３６】
なお、以上の画像形成装置１００、後処理装置２００〜５００内の各処理機能や各構成要素は一例であって、これらに限定されるものではない。
〔実施形態の動作〕
〔全体動作〕
以下、本実施形態の画像形成システム及び後処理装置並びに画像形成制御プログラムについて、図２及び図３のフローチャートや図４以降の動作状態説明図を参照して動作手順に従って説明する。
【００３７】
ここで、図２は画像形成の全体の処理手順を示すフローチャートである。図３は、ジャム発生時のプレパージ処理の詳細処理手順を示すサブルーチンのフローチャートである。
まず、制御部１０１は画像形成装置１００を含む画像形成システムの動作開始に各部を初期化する（図２中のステップＳ１０１）。この初期化としては、予め定められた手順に従って、各部を初期位置にしたり、各部の電圧や検出値が所定の値になるように初期動作を実行する。
【００３８】
制御部１０１は、操作表示部１０３や外部コンピュータからの画像形成の開始指示の発生を監視している（図２中のステップＳ１０２）。
画像形成開始指示が与えられると（図２中のステップＳ１０２でＹＥＳ）、制御部１０１は指定された画像データに基づいて用紙上に画像を形成するように、給紙部１０５、搬送部１１０、画像データ記憶部１３０、画像処理部１４０、画像形成部１５０の各部を制御する（図２中のステップＳ１０３）。
【００３９】
また、画像形成と共に各種の後処理が指定されている場合には、制御部１０１は、必要に応じて、後処理装置２００〜５００の各制御部２０１〜５０１に後処理についての指示を与える。これにより、画像形成装置１００で画像形成された用紙は、後処理装置２００〜５００において、搬送されつつ各種の後処理が施され、指定された排出部に排出される（図２中のステップＳ１０３）。
【００４０】
ここで、異常検知部１１５〜５１５は、各装置内での用紙搬送中の異常の有無を検知している（図２中のステップＳ１０４）。異常検知部１１５〜５１５において何ら異常が検知されない場合には（図２中のステップＳ１０４でＮＯ）、ジョブの最終ページの用紙に至るまで、上述した画像形成と用紙搬送と後処理と排出とを繰り返し実行する（図２中のステップＳ１０５でＮＯ、ステップＳ１０３、ステップＳ１０４）。
【００４１】
この画像形成や後処理に伴う用紙搬送の際に、異常検知部１１５〜５１５のいずれかにより、異常状態が検知されたとする（図２中のステップＳ１０４でＹＥＳ）。
ここで、搬送中の用紙について異常検知部１１５〜５１５のいずれかにより異常状態が検知された状況において、異常が検知された用紙を「ジャム起因用紙」と呼び、該ジャム起因用紙よりも上流で残留（給紙部１０５で少しでも給紙が開始された状態を含む）している用紙を「残留用紙」と呼ぶ。
【００４２】
また、用紙のうちで予め指定されたものを「指定用紙」、用紙のうちで指定用紙以外のものを「通常用紙」とする。ここで、「指定用紙」は、機密情報が画像形成される用紙、又は、ユーザが他のユーザの目に触れることを望まない（非公開を希望する）用紙、などの理由により指定された用紙である。この指定については、制御部１０１や図示されないコンピュータで自動的に指定される場合と、操作表示部１０３や図示されないコンピュータを介して、ユーザにより指定される場合とがある。
【００４３】
ここで、制御部１０１は制御部２０１〜５０１と共に、ジャム起因用紙については異常が検知された位置で搬送を停止するように、搬送部１１０〜５１０を制御する（図２中のステップＳ１０６）。また、制御部１０１は、給紙部１０５からの新たな給紙と画像形成部１５０での画像形成についても停止するように制御する。
【００４４】
図４では、後処理装置５００で搬送中の用紙ｐ０に異常が検知され、ジャム起因用紙として搬送が停止された様子を示している。この図４に示される状態では、用紙ｐ０の上流側の用紙ｐ１〜ｐ１０が残留用紙に該当する。
また、制御部１０１は、残留用紙について、プレパージ処理を実行するよう制御する（図２中のステップＳ１０７）。なお、このプレパージ処理については、図３を用いて詳細に説明する。
【００４５】
そして、制御部１０１は、残留用紙についてのプレパージ処理が完了したら、画像形成システム各部の動作を停止させる（図２中のステップＳ１０８）。なお、この後に制御部１０１は、ジャム起因紙の除去に関する処理や、パージ処理を別途実行する。
〔プレパージ処理の動作（１）〕
ここで、図３のフローチャートを参照して、プレパージ処理について説明する。
【００４６】
まず、制御部１０１は、画像形成システム内でのジャム起因紙の位置を、制御部２０１〜５０１と協力して確認する（図３中のステップＳ２０１）。同様に、制御部１０１は、画像形成システム内での残留用紙の位置を、制御部２０１〜５０１と協力して確認する（図３中のステップＳ２０２）。また、制御部１０１は、残留用紙が指定用紙であるか通常用紙であるかを確認する（図３中のステップＳ２０３）。
【００４７】
画像形成システム内でジャム起因紙の上流側に残留用紙が存在しなければ（図３中のステップＳ２０４でＮＯ）、搬送の継続や搬送の停止を制御する必要がないため、制御部１０１はプレパージ処理を終了する（図３中のエンド）。
一方、画像形成システム内でジャム起因紙の上流側に残留用紙が存在していれば（図３中のステップＳ２０４でＹＥＳ）、搬送の継続や搬送の停止を制御する必要があるため、更に処理を続ける。
【００４８】
画像形成システム内で、ジャム起因紙の上流側に残留用紙が存在しており（図３中のステップＳ２０４でＹＥＳ）、残留用紙中に指定用紙が存在していれば（図３中のステップＳ２０５でＹＥＳ）、制御部１０１は、指定用紙について速やかに搬送を停止するよう、搬送部１１０〜５１０を制御する（図３中のステップＳ２０６）。以上のようにして、制御部１０１は、制御部２０１〜５０１と共にプレパージ処理を制御する。なお、残留用紙中に通常用紙が存在している場合については、後述する。
【００４９】
図４では、ジャム起因紙ｐ０の上流側に残留紙ｐ１〜ｐ１０が存在している。この残留用紙ｐ１〜ｐ１０が指定用紙ではなく通常用紙であれば、図５のように、ジャム起因紙ｐ０は停止状態にしておき、プレパージ処理として排出可能な排出部に通常用紙ｐ１〜ｐ１０を排出させる。なお、このプレパージ処理としては、できるだけ同じ排出部に残留用紙を排出することが望ましい。
【００５０】
この場合、通常用紙ではプレパージ処理によって排出することができ、効率的な排出が可能になる。また、通常用紙をユーザが画像形成システム内から除去する必要もなくなる。
一方、図６では、ジャム起因紙ｐ０の上流側に残留紙ｐ１〜ｐ１０が存在している。この残留用紙ｐ１〜ｐ１０が通常用紙ではなく指定用紙であれば、図６のように、ジャム起因紙ｐ０を停止状態にしておき、プレパージ処理として、指定用紙ｐ１〜ｐ１０についても搬送を停止させる。
【００５１】
これにより、機密情報が画像形成される用紙、又は、ユーザが他のユーザの目に触れることを望まない用紙である指定用紙が、公知状態におかれることがなくなる。そして、ユーザ自らが指定用紙を除去することが可能になる。
〔プレパージ処理の動作（２）〕
ここで、図７のフローチャートを参照して、プレパージ処理について説明する。なお、既に説明した図４と同一処理については同一ステップ番号を付して、重複した説明を省略する。
【００５２】
制御部１０１は、画像形成システム内でのジャム起因紙の位置を確認する（図７中のステップＳ２０１）。同様に、制御部１０１は、画像形成システム内での残留用紙の位置を確認する（図７中のステップＳ２０２）。また、制御部１０１は、残留用紙が指定用紙であるか通常用紙であるかを確認する（図７中のステップＳ２０３）。画像形成システム内でジャム起因紙の上流側に残留用紙が存在しなければ（図７中のステップＳ２０４でＮＯ）、制御部１０１はプレパージ処理を終了する（図７中のエンド）。
【００５３】
画像形成システム内で、ジャム起因紙の上流側に残留用紙が存在しており（図７中のステップＳ２０４でＹＥＳ）、残留用紙中に指定用紙が存在していれば（図７中のステップＳ２０５でＹＥＳ）、制御部１０１は、指定用紙について速やかに搬送を停止するよう、搬送部１１０〜５１０を制御する（図７中のステップＳ２０６）。
【００５４】
画像形成システム内で、ジャム起因紙の上流側に残留用紙が存在しており（図７中のステップＳ２０４でＹＥＳ）、残留用紙中に通常用紙が存在していれば（図７中のステップＳ２０７でＹＥＳ）、制御部１０１は、通常用紙について搬送を継続するよう、搬送部１１０〜５１０を制御する（図７中のステップＳ２０６）。
【００５５】
すなわち、画像形成システム内で、ジャム起因紙の上流側に残留用紙が存在しており、残留用紙中に指定用紙と通常用紙との両方が存在していれば、制御部１０１は、指定用紙について搬送を停止するように、通常用紙について搬送を継続するように、搬送部１１０〜５１０を制御する。
【００５６】
この場合、通常用紙ではプレパージ処理によって排出することができ、効率的な排出が可能になる。また、通常用紙をユーザが画像形成システム内から除去する必要もなくなる。そして、機密情報が画像形成される用紙、又は、ユーザが他のユーザの目に触れることを望まない用紙である指定用紙が、公知状態におかれることがなくなる。この結果、ユーザ自らが指定用紙を除去することが可能になる。
【００５７】
図８では、ジャム起因紙ｐ０の上流側に残留紙ｐ１〜ｐ１０が存在している。この残留用紙ｐ１〜ｐ１０に関して、ｐ１〜ｐ５は通常用紙、ｐ６〜ｐ１０は指定用紙である。この場合、図９のように、ジャム起因紙ｐ０は停止状態にしておき、プレパージ処理として排出可能な排出部に通常用紙ｐ１〜ｐ５を排出させ、指定用紙ｐ６〜ｐ１０については搬送を停止させる。
【００５８】
一方、図１０では、ジャム起因紙ｐ０の上流側に残留紙ｐ１〜ｐ１０が存在している。この残留用紙ｐ１〜ｐ１０に関して、ｐ１は指定用紙、ｐ２〜ｐ１０は通常用紙である。この場合、図１１のように、ジャム起因紙ｐ０は停止状態にしておき、指定用紙ｐ１については搬送を停止させ、プレパージ処理として排出可能な排出部に通常用紙ｐ２〜ｐ１０を排出させる。
【００５９】
以上の場合、通常用紙ではプレパージ処理によって排出することができ、効率的な排出が可能になる。また、通常用紙をユーザが画像形成システム内から除去する必要もなくなる。
一方、残留用紙が指定用紙であれば搬送を停止させるため、機密情報が画像形成される用紙、又は、ユーザが他のユーザの目に触れることを望まない用紙である指定用紙が、公知状態におかれることがなくなる。そして、ユーザ自らが指定用紙を除去することが可能になる。
【００６０】
〔プレパージ処理の動作（３）〕
ここで、図１２のフローチャートを参照して、プレパージ処理について説明する。なお、既に説明した図４や図７と同一処理については同一ステップ番号を付して、重複した説明を省略する。
【００６１】
制御部１０１は、画像形成システム内でのジャム起因紙の位置を確認する（図１２中のステップＳ２０１）。同様に、制御部１０１は、画像形成システム内での残留用紙の位置を確認する（図１２中のステップＳ２０２）。また、制御部１０１は、残留用紙が指定用紙であるか通常用紙であるかを確認する（図１２中のステップＳ２０３）。画像形成システム内でジャム起因紙の上流側に残留用紙が存在しなければ（図１２中のステップＳ２０４でＮＯ）、制御部１０１はプレパージ処理を終了する（図１２中のエンド）。
【００６２】
画像形成システム内でジャム起因紙の上流側に残留用紙が存在しており（図１２中のステップＳ２０４でＹＥＳ）、残留用紙中に指定用紙が存在していれば（図１２中のステップＳ２０５でＹＥＳ）、制御部１０１は、指定用紙について速やかに搬送を停止するよう、搬送部１１０〜５１０を制御する（図１２中のステップＳ２０６）。
【００６３】
ジャム起因紙の上流側に残留用紙が存在しており（図１２中のステップＳ２０４でＹＥＳ）、残留用紙中に通常用紙が存在していれば（図１２中のステップＳ２０７ａでＹＥＳ）、制御部１０１は、通常用紙が排出可能であるかを確認する（図１２中のステップＳ２０７ｂ）。ここで、通常用紙が排出可能であるか否かは、通常用紙の下流に排出部への搬送経路が存在するか否かにより決定される。
【００６４】
残留用紙中の通常用紙が排出可能であれば（図１２中のステップＳ２０７ｂでＹＥＳ）、制御部１０１は、通常用紙について搬送を継続するよう、搬送部１１０〜５１０を制御する（図１２中のステップＳ２０８）。
一方、残留用紙中の通常用紙が排出可能でなければ（図１２中のステップＳ２０７ｂでＮＯ）、制御部１０１は、通常用紙についても搬送を停止するよう、搬送部１１０〜５１０を制御する（図１２中のステップＳ２０９）。
【００６５】
図１３では、ジャム起因紙ｐ０の上流側に残留紙ｐ１〜ｐ６が存在している。この残留用紙ｐ１〜ｐ６に関して、ｐ１〜ｐ２は指定用紙、ｐ３〜ｐ６は通常用紙である。この場合、ジャム起因紙ｐ０は停止状態である。また、指定用紙ｐ１〜ｐ２も停止状態にする。この状態で、ジャム起因紙の上流側には、排出部へ分岐する搬送経路が存在しているが、指定用紙ｐ１〜ｐ２が停止しているため、通常用紙ｐ１〜ｐ２については排出することができない。このため、通常用紙も搬送を停止させる。
【００６６】
すなわち、プレパージ処理を実行するよう搬送と排出とを制御する際に、プレパージ処理を適用しないよう制御された指定用紙の影響を受けてプレパージ処理を適用できない通常用紙については、プレパージ処理を適用しないよう制御することで、指定用紙の留置と通常用紙の排出とについて、無理のない両立が可能になる。
【００６７】
〔プレパージ処理の動作（４）〕
ここで、図１４のフローチャートを参照して、プレパージ処理について説明する。なお、既に説明した図４や図７や図１２と同一処理については同一ステップ番号を付して、重複した説明を省略する。
【００６８】
制御部１０１は、画像形成システム内でのジャム起因紙の位置を確認する（図１２中のステップＳ２０１）。同様に、制御部１０１は、画像形成システム内での残留用紙の位置を確認する（図１２中のステップＳ２０２）。また、制御部１０１は、残留用紙が指定用紙であるか通常用紙であるかを確認する（図１２中のステップＳ２０３）。画像形成システム内でジャム起因紙の上流側に残留用紙が存在しなければ（図１２中のステップＳ２０４でＮＯ）、制御部１０１はプレパージ処理を終了する（図１２中のエンド）。
【００６９】
画像形成システム内でジャム起因紙の上流側に残留用紙が存在しており（図１２中のステップＳ２０４でＹＥＳ）、残留用紙中に指定用紙が存在していれば（図１２中のステップＳ２０５ａでＹＥＳ）、制御部１０１は、その指定用紙が画像形成前であるか画像形成後であるかを判断する（図１４中のステップＳ２０５ｂ）。ここで、画像形成の前後は、画像形成部１５０での転写を基準にする。よって、用紙に画像が転写されていれば、定着前であっても、画像形成後であるとして扱う。
【００７０】
指定用紙に画像が形成されていれば（図１４中のステップＳ２０５ｂでＮＯ）、排出されて公知状態になることを避けるため、当該指定用紙について速やかに搬送を停止するよう、制御部１０１は搬送部１１０〜５１０を制御する（図１２中のステップＳ２１０）。
一方、指定用紙に画像が形成されていなければ（図１４中のステップＳ２０５ｂでＹＥＳ）、排出されても公知状態にならないため、当該指定用紙についてプレパージ処理を適用して排出するよう、制御部１０１は搬送部１１０〜５１０を制御する（図１２中のステップＳ２１１）。
【００７１】
図１５の例では、ジャム起因紙ｐ０の上流側に残留紙ｐ１〜ｐ１１が存在している。この残留用紙ｐ１〜ｐ１１に関して、ｐ１〜ｐ１０は通常用紙、ｐ１１は指定用紙である。但し、指定用紙ｐ１１に関しては、画像形成前である。この場合、図１６のように、ジャム起因紙ｐ０は停止状態にしておき、プレパージ処理として排出可能な排出部に通常用紙ｐ１〜ｐ１０と画像形成前の指定用紙ｐ１１とを排出させる。
【００７２】
以上のようにパージ処理を制御することで、機密情報や非公開情報等の各種情報が公知状態になることを防止しつつ、公開することについて問題のない通常用紙や画像形成未実行の指定用紙についての確実な排出が可能になり、効率的な排出が可能になる。
〔プレパージ処理の動作（５）〕
ここで、図１７のフローチャートを参照して、プレパージ処理について説明する。なお、既に説明した図４等と同一処理については同一ステップ番号を付して、重複した説明を省略する。
【００７３】
制御部１０１は、画像形成システム内でのジャム起因紙の位置を確認する（図１７中のステップＳ２０１）。同様に、制御部１０１は、画像形成システム内での残留用紙の位置を確認する（図１７中のステップＳ２０２）。また、制御部１０１は、残留用紙が指定用紙であるか通常用紙であるかを確認する（図１７中のステップＳ２０３）。画像形成システム内でジャム起因紙の上流側に残留用紙が存在しなければ（図１７中のステップＳ２０４でＮＯ）、制御部１０１はプレパージ処理を終了する（図１７中のエンド）。
【００７４】
画像形成システム内でジャム起因紙の上流側に残留用紙が存在しており（図１７中のステップＳ２０４でＹＥＳ）、残留用紙中に指定用紙が存在していれば（図１７中のステップＳ２０５でＹＥＳ）、制御部１０１は、指定用紙について速やかに搬送を停止するよう、搬送部１１０〜５１０を制御する（図１７中のステップＳ２０６）。
【００７５】
ここで、制御部１０１は、残留している指定用紙が画像形成システム内の複数の装置に分散して残留しているか否かを確認する（図１７中のステップＳ２１２）。複数の装置に分散して指定用紙が分散していなければ（図１７中のステップＳ２１２でＮＯ）、制御部１０１はプレパージ処理を終了する（図１７中のエンド）。
【００７６】
複数の装置に分散して指定用紙が分散していれば（図１７中のステップＳ２１２でＹＥＳ）、制御部１０１は、扉部１８０〜５８０のうち指定用紙が残留している装置の扉について、１箇所を除いてロックするよう制御する（図１７中のステップＳ２１３）。ここで、ロックしない扉としては、画像形成装置１００に近い箇所等、予め定めておくか、操作表示部１０３に扉のロックの有無を表示することが望ましい。
【００７７】
そして、ロックされていない扉を開けて指定用紙をユーザが除去する（図１７中のステップＳ２１４）。ロックされていない扉の装置において指定用紙が除去されたことを制御部１０１が検知すると、制御部１０１は、指定用紙が残留する他の装置の扉１箇所についてロックを解除し、同様にユーザが指定用紙を除去する（図１７中のステップＳ２１６，ステップＳ２１４）。以下、同様の制御を、残留している全ての指定用紙について繰り返す（図１７中のステップＳ２１５）。
【００７８】
図１８に示す例では、画像形成装置１００、後処理装置２００、後処理装置３００、後処理装置４００、後処理装置５００に指定用紙が残留している。
そこで、制御部１０１は、図１９のように、画像形成装置１００の扉部１８０をロックせずに、後処理装置２００の扉部２８０、後処理装置３００の扉部３８０、後処理装置４００の扉部４８０、後処理装置５００の扉部５８０をロックする。ここで、ユーザは画像形成装置１００の指定用紙ｐ８−ｐ１０を除去する。
【００７９】
次に、制御部１０１は、図２０のように、後処理装置２００の扉部２８０をロックせずに、後処理装置３００の扉部３８０、後処理装置４００の扉部４８０、後処理装置５００の扉部５８０をロックする。ここで、ユーザは後処理装置２００の指定用紙ｐ５−ｐ７を除去する。
【００８０】
更に、制御部１０１は、図２１のように、後処理装置３００の扉部３８０をロックせずに、後処理装置４００の扉部４８０、後処理装置５００の扉部５８０をロックする。ここで、ユーザは後処理装置３００の指定用紙ｐ３−ｐ４を除去する。
以下、同様な処理を繰り返す。
【００８１】
以上のように指定用紙が複数部位にわたって存在している場合に、複数部位の対応する複数の扉について、いずれか一つの扉以外の扉についてロック部によりロックするよう制御することで、ユーザによる指定用紙の除去を確実に実行可能にしつつ、機密情報や非公開情報等の各種情報がユーザ以外に知られることを確実に防止できる。また、複数部位の対応する複数の扉について、ロック部によりロックされない扉に対応する部位で残留している用紙が除去された場合には、残余の残留している用紙が存在している部位に対応するいずれか一つの扉についてロック部のロックを解除するよう制御することで、複数箇所にわたる指定用紙のユーザによる除去を確実に実行可能にしつつ、機密情報や非公開情報等の各種情報がユーザ以外に知られることを確実に防止できる。
【００８２】
〔プレパージ処理の動作（６）〕
ここで、図２２のフローチャートを参照して、プレパージ処理について説明する。なお、既に説明した図４等と同一処理については同一ステップ番号を付して、重複した説明を省略する。
【００８３】
この実施形態では、図２３や図２４に示しように、開放式のトレイとは別の密閉形式の用紙収容部６００を備えている。この用紙収容部６００は、いずれの後処理装置内部に存在していても良いし、画像形成装置１００内に存在していても良い。
なお、この用紙収容部６００は、用紙が容易に見えないように工夫された蓋付きの排紙トレイであっても良い。また、ここでは１つのみ示すが、複数Ｍ個存在していても良い。
【００８４】
制御部１０１は、画像形成システム内でのジャム起因紙の位置を確認する（図２２中のステップＳ２０１）。同様に、制御部１０１は、画像形成システム内での残留用紙の位置を確認する（図２２中のステップＳ２０２）。また、制御部１０１は、残留用紙が指定用紙であるか通常用紙であるかを確認する（図２２中のステップＳ２０３）。画像形成システム内でジャム起因紙の上流側に残留用紙が存在しなければ（図２２中のステップＳ２０４でＮＯ）、制御部１０１はプレパージ処理を終了する（図２２中のエンド）。
【００８５】
画像形成システム内でジャム起因紙の上流側に残留用紙が存在しており（図２２中のステップＳ２０４でＹＥＳ）、残留用紙中に指定用紙が存在していれば（図２２中のステップＳ２０５でＹＥＳ）、制御部１０１は、用紙収容部６００よりも上流に指定用紙が残留しているかを確認する（図２２中のステップＳ２２０）。
【００８６】
用紙収容部６００よりも下流に指定用紙が残留していれば（図２２中のステップＳ２２０でＮＯ）、用紙収容部を使用できないため、制御部１０１は、指定用紙の搬送を停止して（図２２中のステップＳ２２４）、プレパージ処理を終了する（図２２中のエンド）。
用紙収容部６００よりも上流に指定用紙が残留していれば（図２２中のステップＳ２２０でＹＥＳ）、制御部１０１は、指定用紙に画像形成を実行したユーザ数Ｎと用紙収容部６００の個数Ｍとを比較する（図２２中のステップＳ２２１）。
【００８７】
用紙収容部６００の個数Ｍが、指定用紙に画像形成を実行したユーザ数Ｎ以上であれば（図２２中のステップＳ２２１でＮＯ）、制御部１０１は、各用紙収容部６００それぞれに、１ユーザの指定用紙を搬送して収容させるよう、搬送部１１０〜５１０を制御する（図２２中のステップＳ２２２）。すなわち、各用紙収容部６００内で複数ユーザの指定用紙が混在しないようにする。
【００８８】
用紙収容部６００の個数Ｍが、指定用紙に画像形成を実行したユーザ数Ｎ未満であれば（図２２中のステップＳ２２１でＹＥＳ）、制御部１０１は、各用紙収容部６００それぞれに、１ユーザの指定用紙を搬送して収容させるよう、搬送部１１０〜５１０を制御する（図２２中のステップＳ２２３）。また、用紙収容部６００に収容できなかった指定用紙については、制御部１０１は、指定用紙について速やかに搬送を停止するよう、搬送部１１０〜５１０を制御する（図２２中のステップＳ２２４）。すなわち、各用紙収容部６００内で複数ユーザの指定用紙が混在しないようにする。
【００８９】
ここで、Ｍを１以上の整数、ＮをＭより大きい整数として、指定用紙を収容するＭ個の用紙収容部が備えられた場合に、プレパージ処理を実行した際に当該プレパージ処理が適用されずに残留している用紙が、Ｎユーザによるものである場合、Ｎユーザ中のＭユーザについての残留している用紙を、それぞれＭ個の用紙収容部に収容させるよう制御する。
【００９０】
図２３の例では、指定用紙ｐ１と指定用紙ｐ２とでユーザが異なる場合（２ユーザの場合）を示している。また、用紙収容部６００は１個存在している。この場合、図２４のように、一方のユーザの指定用紙ｐ１を用紙収容部６００に収容するよう制御する。そして、他方のユーザの指定用紙ｐ２は搬送を停止するよう制御する。
【００９１】
このようにすることで、用紙収容部６００において複数ユーザの指定用紙が混在することはなく、機密情報や非公開情報等の各種情報がユーザ以外に知られることを確実に防止できる。
【符号の説明】
【００９２】
１００  画像形成装置
１０１  制御部
１０２  通信部
１０４  記憶部
１０３  操作表示部
１０５  給紙部
１１０  搬送部
１１５  異常検知部
１２０  原稿読込部
１３０  画像データ記憶部
１４０  画像処理部
１５０  画像形成部
１８０  扉部
２００〜５００  後処理装置
【図１】
0006402605.tif 000002
【図２】
0006402605.tif 000003
【図３】
0006402605.tif 000004
【図４】
0006402605.tif 000005
【図５】
0006402605.tif 000006
【図６】
0006402605.tif 000007
【図７】
0006402605.tif 000008
【図８】
0006402605.tif 000009
【図９】
0006402605.tif 000010
【図１０】
0006402605.tif 000011
【図１１】
0006402605.tif 000012
【図１２】
0006402605.tif 000013
【図１３】
0006402605.tif 000014
【図１４】
0006402605.tif 000015
【図１５】
0006402605.tif 000016
【図１６】
0006402605.tif 000017
【図１７】
0006402605.tif 000018
【図１８】
0006402605.tif 000019
【図１９】
0006402605.tif 000020
【図２０】
0006402605.tif 000021
【図２１】
0006402605.tif 000022
【図２２】
0006402605.tif 000023
【図２３】
0006402605.tif 000024
【図２４】
0006402605.tif 000025